(57)【要約】【課題】巻留用索体を２つだけ持って樹木に登り、その２つの巻留用索体で交互にアンカーを形成することにより、作業者の墜落を確実に防止できるようすると共に、作業者の重量的負担を軽減できる墜落防止方法を提供すること。【解決手段】  その長尺ロープ２の一部に伸縮調整具６を介して伸縮調整可能な環状ロープ部Ｒｏを形成する、ダブルロープテクニックに使用する長尺ロープ２と、樹木Ｔの幹Ｔａの所要部に巻き留めて夫々ダブルロープテクニックのアンカーを形成する少なくとも２つの開閉式連結器８付き巻留用索体３，４と、を用いる樹上作業の墜落防止方法であって、環状ロープ部Ｒｏの所要箇所を作業者Ｍの安全帯１０に固定した状態で、環状ロープ部Ｒｏを樹木Ｔの幹Ｔａに形成した少なくとも２つのアンカーＫである巻留用索体３，４の開閉式連結器８，８に通して少なくとも２点支持することにより、作業者Ｍの墜落を防止する。【選択図】図４
2015053890.tif 000002
【特許請求の範囲】
【請求項１】
その長尺ロープの一部に伸縮調整具を介して伸縮調整可能な環状ロープ部を形成する、ダブルロープテクニックに使用する長尺ロープと、
樹木の幹又は太枝の所要部に巻き留めて夫々ダブルロープテクニックのアンカーを形成する少なくとも２つの開閉式連結器付き巻留用索体と、を用いる樹上作業の墜落防止方法であって、
前記環状ロープ部の所要箇所を作業者の安全帯に固定した状態で、この環状ロープ部を、樹木の幹又は太枝に形成した少なくとも２つのアンカーである巻留用索体の開閉式連結器に通して少なくとも２点支持することにより、作業者の墜落を防止するようにした樹上作業の墜落防止方法。
【発明の詳細な説明】
【技術分野】
【０００１】
本発明は、作業者が樹木に登って樹木の剪定や枝打ち等の樹上作業を行なう際の墜落を防止する樹上作業の墜落防止方法に関する。
【背景技術】
【０００２】
樹上作業においては、従来より、ダブルロープテクニック（世界では「ＤＲＴ」と簡略化して呼称されている）が使われている。このダブルロープテクニックは、世界の各地で使われている木登り時のロープワークであり、その一例について説明すれば、１本の長尺ロープを樹木の高位置にある木股に掛けて折り返すことで２重ロープ状態とし、その枝から延びた２重ロープの一方のロープ部の端部に例えば二重８の字状結び部を形成し、その輪っか部をカラビナ（第１連結器）を介して作業者の安全帯につないで、その二重８の字状結び部分から延びた長尺ロープ部分に、一端部に輪っか部を設けた短尺ロープ材の他端部を巻き付けてブレイクスヒッチ（伸縮調整具）を形成し、その短尺ロープ材の一端部の輪っか部にカラビナ（第２連結器）を付けて、このカラビナを作業者の安全帯に取り付けるようにしたもので、ブレイクスヒッチより下方の長尺ロープを引き、その後ブレイクスヒッチを押し上げ、これを繰り返すことによって安全を確保しながら登っていくことができる。
【０００３】
ところが、このダブルロープテクニックは、樹木の高い位置にある木股をトップアンカーとして、これに、ダブルロープテクニックにおけるカラビナ（第１連結器）とブレイクスヒッチ（伸縮調整具）とカラビナ（第２連結器）とで形成される環状ロープ部を引っ掛けて、このトップアンカーの１点で支持させるようにしているため、２点以上のアンカーによるバックアップが必要であることを義務づけている日本の労働基準監督署の指導に適っていない。
【０００４】
尚、上述したダブルロープテクニックの環状ロープ部は、基本的な一例を説明したもので、近年では簡略化した種々の環状ロープ部が採用されている。即ち、上記の説明では、長尺ロープの一端部に第１連結器を設け、この第１連結器から所要長さ離れたロープ上に伸縮調整具を設け、この伸縮調整具に第２連結器を設けて、第１連結器と伸縮調整具と第２連結環とで形成されるロープ部を環状ロープ部として、この環状ロープ部の第１連結器と第２連結器を作業者の安全帯に固定するようにしているが、例えば、第１連結器と第２連結器とを１つの共通連結器として、この共通連結器に長尺ロープの一端部と伸縮調整具とをつないで、この共通連結器を作業者の安全帯に固定するようにしたものでもよい。その他種々の簡略化された環状ロープ部が長尺ロープの一部に形成されるが、ダブルロープテクニックにおける環状ロープ部としては、長尺ロープの一部に伸縮調整具を介して伸縮調整可能な環状ロープ部を形成するものであれば、どのような構成の環状ロープ部でもよいものとされる。
【０００５】
また従来より、ダブルロープテクニックでは、樹木の高い位置にある木股をトップアンカーとして、これを最初に設置するのに、先端にパウチ（袋状の錘）を付けたスローライン（細い紐）を、地上から樹木の高位置にある木股に投げて通した後、そのスローラインに長尺ロープの始端部につないで、スローラインを引っ張ることにより、長尺ロープを引き上げて木股に掛け渡すようにするため、市街地でのパウチの投げ上げ及び落下には、樹木の下を通る人や車両等に危害を加える危険性があり、また樹木の枝振りや樹形等によっては木股への掛け渡しができない場合がある。また、このように地上からパウチを投げ上げて、樹木の高位置にある木股であるトップアンカーを設置するから、その木股の強度を目視によって確認することができない、つまりその木股の安全性を確認することができない。
【０００６】
上記のような問題点を解決できるものとして、本出願人によって提供された下記特許文献１に記載された樹上作業の墜落防止方法がある。これは、作業者が樹上作業を行なうにあたり、地上側でストックした長尺ロープの始端側を作業対象樹木の根元付近に固定し、作業者は、通したロープへの重量負荷によって作動する摺動ストッパー（伸縮調整具）を身に付け、樹木の所要位置に巻留用索体を巻き留めて第１支持点（アンカー）とし、この第１支持点の巻留用索体に保持させた例えばカラビナに、長尺ロープの始端部側を通し、このロープを更に摺動ストッパーに通した上で地上へ垂らし、順次同様にして巻留用索体による第２支持点以降の支持点を設けると共に、これら支持点において、巻留用索体に保持させたカラビナに、前記摺動ストッパーと下位の支持点との間に保留させたロープの余剰部を通すようにする方法である。
【０００７】
この特許文献１の方法は、樹木の下方より上方へとアンカーを順次小刻みに、第１支持点、第２支持点、第３支持点・・・として形成して、樹木の根元側に固定した始端側からのロープを各アンカーに通していくから、上部側アンカーが破断しても、下部アンカーによりバックアップできて、地上への墜落を防止することができ、前述した日本の労働基準監督署の指導に適う。また、この方法では、地上から樹木伝いに登って、小刻みにアンカーを形成していくので、市街地のように樹木の下を通る人や車両等に危害を加える危険性がなく、樹木の枝振りや樹形等に左右されることなくアンカーを設置できる上に、アンカーの設置部を作業者が間近で目視により確認できるため、アンカー設置部の安全性を確認できる。従って、この特許文献１の方法によれば、前述した従来のダブルロープテクニックにおける問題点を解決することができる。
【先行技術文献】
【特許文献】
【０００８】
【特許文献１】特開２００６−１５８２２９号公報
【発明の概要】
【発明が解決しようとする課題】
【０００９】
しかしながら、上記特許文献１の方法では、ロープの始端側を樹木の根元付近に固定した長尺ロープを樹木の最下部のアンカーに支持させるから、トップアンカーにかかる荷重が作業者の体重の２倍になり、ダブルロープテクニックで設置するアンカーより太径の幹にしかアンカーを設置できず、またアンカーを形成するための開閉式連結器付き巻留用索体（スリングベルト）の数が多くなり、樹上作業に手間取ると共に、その重量的負担が大きいという問題があった。
【００１０】
本発明は、上記のような特許文献１の方法における問題点を解消することができる樹上作業の墜落防止方法を提供することを目的とする。
【課題を解決するための手段】
【００１１】
上記課題を解決するための手段を、後述する実施形態の参照符号を付して説明すると、請求項１に係る発明の樹上作業の墜落防止方法は、その長尺ロープ２の一部に伸縮調整具６を介して伸縮調整可能な環状ロープ部Ｒｏを形成する、ダブルロープテクニックに使用する長尺ロープ２と、
樹木Ｔの幹Ｔａ又は太枝の所要部に巻き留めて夫々ダブルロープテクニックのアンカーを形成する少なくとも２つの開閉式連結器８付き巻留用索体３，４と、を用いる樹上作業の墜落防止方法であって、
前記環状ロープ部Ｒｏの所要箇所を作業者Ｍの安全帯１０に固定した状態で、この環状ロープ部Ｒｏを、樹木Ｔの幹Ｔａ又は太枝に形成した少なくとも２つのアンカーＫである巻留用索体３，４の開閉式連結器８，８に通して少なくとも２点支持することにより、作業者Ｍの墜落を防止するようにしたことを特徴とする。
【発明の効果】
【００１２】
上記解決手段による発明の効果を、後述する実施形態の参照符号を付して説明すると、請求項１に係る発明の墜落防止方法は、環状ロープ部Ｒｏの所要箇所を作業者Ｍの安全帯１０に固定した状態で、この環状ロープ部Ｒｏを、樹木Ｔの幹Ｔａ又は太枝に形成した少なくとも２つのアンカーＫである巻留用索体３，４の開閉式連結器８，８に通して少なくとも２点支持するようにしたから、前記特許文献１の方法と同様に下部アンカーによりバックアップが出来て、地上への墜落を防止でき、日本の労働基準監督署の指導にも適う一方、アンカーにかかる荷重が作業者の体重と同じ荷重となるから、樹木Ｔの比較的細い幹でもアンカーＫが設置可能となり、また作業者は、樹木に登る際には巻留用索体を少なくとも２つ持って登ればよいから、樹上作業に手間がかからず、作業者の重量的負担を軽減することができる。
【図面の簡単な説明】
【００１３】
【図１】本発明に係る墜落防止方法の実施形態を示すもので、その方法の最初の段階を示す説明図である。
【図２】同方法の次の段階を示す説明図である。
【図３】同方法の更に次の段階を示す説明図である。
【図４】同方法の更に次の段階を示す説明図である。
【図５】同方法の更に次の段階を示す説明図である。
【図６】同方法に用いるロープ装置及び巻留用索体を示す斜視図で、環状ロープ部の一例を示している。
【図７】図６と同様な斜視図で、環状ロープ部の他の例を示している。
【図８】図６と同様な斜視図で、環状ロープ部の更に他の例を示している。
【発明を実施するための形態】
【００１４】
以下に本発明の好適な一実施形態を図面を参照して具体的に説明すると、図１〜図５は本発明に係る樹上作業の墜落防止方法を実施している状態を示し、図６はこの方法に使用するロープ装置及び巻留用索体を示す。これらの図において、Ｍは作業者、Ｔは樹木、２はダブルロープテクニックに使用する長尺ロープで、一端部側にダブルロープテクニックの環状ロープ部Ｒｏを形成し、他端部側を樹木Ｔ近傍の地上にストックする。３及び４はダブルロープテクニックのアンカーを形成する第１巻留用索体及び第２巻留用索体であり、１０は作業者Ｍが装着した安全帯である。
【００１５】
図６から分かるように、長尺ロープ２の一端部に、開閉式の第１連結器５（例えばカラビナ１５）を取り付け、この第１連結器５から所要長さ離れた長尺ロープ２上に伸縮調整具６（例えばブレイクスヒッチ１３）を設け、この伸縮調整具６に開閉式の第２連結器７（例えばカラビナ１５）を取り付けることによって、この長尺ロープ２の一端部側に、第１連結器５と伸縮調整具６と第２連結器７とによってダブルロープテクニックの環状ロープ部Ｒｏを形成する。尚、第１連結器５としてのカラビナ１５は、長尺ロープ２の一端部に設けた輪っか部２ｏに通し入れる。
【００１６】
本発明の墜落防止方法について、図１〜図６を参照しながら説明すると、作業者Ｍは、先ず、前記のように第１連結器５と伸縮調整具６と第２連結器７とで形成されるダブルロープテクニックにおける環状ロープ部Ｒｏの第１連結器５（カラビナ１５）と、伸縮調整具６に取り付けてある第２連結器７（カラビナ１５）とを作業者Ｍの安全帯１０に連結した状態とし、この状態で、作業者Ｍは、図１に示すように、樹木Ｔの幹Ｔａの地上から所要高さの位置に第１巻留用索体３を巻き留めて下段側アンカーＫを形成し、この下段側アンカーＫの第１巻留用索体３の開閉式連結器８（開閉式フック１６）にダブルロープテクニック（ＤＲＴ）の環状ロープ部Ｒｏを通し入れる。
【００１７】
尚、第１巻留用索体３又は第２巻留用索体４を樹木Ｔの幹Ｔａに巻き留めする箇所は、幹Ｔａから枝Ｔｂへの枝分かれ部分Ｔｏ（図１〜図５参照）の上側位置が最も好ましいが、一番最初に第１巻留用索体３を幹Ｔａに巻き留める際、即ち最初のアンカーＫを形成する時に、例えば図１に示すように、地上から作業者Ｍの手が届く位置に適当な枝分かれ部分Ｔｏなどが無く、その位置より高い位置に好ましい巻留箇所が存在する場合には、脚立や梯子（図示省略）を使用し、第１巻留用索体３を幹Ｔａに巻き留めてアンカーＫを形成すればよい。尚、第１，第２巻留用索体３，４の巻き留め箇所は、樹木Ｔの幹Ｔａだけでなく、枝Ｔｂと変わらないほど太い場合にはその太枝（図示せず）でもよい。
【００１８】
図１に示すように最初の下段側アンカーＫを形成し、その第１巻留用索体３の開閉式連結器８（開閉式フック１６）にダブルロープテクニックにおける環状ロープ部Ｒｏを通し入れたならば、作業者Ｍは、図２に示すように、最初の下段側アンカーＫに近い位置にある枝Ｔｂのところまで、脚立や梯子を使用し、又はダブルロープテクニックを使用して登って、その登った位置で、下段側アンカーＫである第１巻留用索体３の巻留位置より高い位置に第２巻留用索体４を巻き留めて上段側アンカーＫを形成し、そしてこの上段側アンカーＫである第２巻留用索体４の開閉式連結器８に、環状ロープ部Ｒｏを通し入れて、図２に示すような状態とする。
【００１９】
この時、ダブルロープテクニックの環状ロープ部Ｒｏは、図２に示すように、上段側アンカーＫである第２巻留用索体４の開閉式連結器８と、下段側アンカーＫである第１巻留用索体３の開閉式連結器８とを通っていて、上段側アンカーＫによる支持と下段側アンカーＫによる支持との２点支持状態となっている。このように、環状ロープ部Ｒｏが、上段側アンカーＫと下段側アンカーＫとの２点で支持されているから、作業者Ｍは、そのような状態で樹木Ｔの剪定作業や枝打ち作業を行う際に、仮に、図２に示す上段側アンカーＫの下側にある枝Ｔｂが折れて、第２巻留用索体４が滑り落ちる状態となっても、環状ロープ部Ｒｏが下段側アンカーＫである第１巻留用索体３で支持されてバックアップされ、しかして伸縮調整具６には作業者Ｍの体重による引張荷重が作用して長尺ロープ２での移動を阻止されるため、作業者Ｍは、宙吊り状態となって、地上への墜落を防止される。
【００２０】
そして、作業者Ｍは、図２で示すような位置での剪定や枝打ちなどの必要な樹上作業を終えた後、更に高い位置での樹上作業に移る時に、下段側アンカーＫである第１巻留用索体３を樹木Ｔの幹Ｔａから取り外し、この取り外した第１巻留用索体３を、図３に示すように作業者Ｍが安全帯１０に取り付けて保持した状態で、伸縮調整具６によって環状ロープ部Ｒｏの長さを調整しながら所要高さまで登る。即ち、作業者Ｍは、図３に示すように、伸縮調整具６より下方の長尺ロープ２部分を引っ張る動作と、その後の伸縮調整具６を押し上げる動作とを繰り返しながら所要高さまで登っていく。この登り時は、ダブルロープテクニックの環状ロープ部Ｒｏは、図３に示すように、第２巻留用索体４である上段側アンカーＫによる１点で支持されている。
【００２１】
上記のようにして作業者Ｍが樹木Ｔを図３に示す低位置から図４に示す位置まで登って適当な樹木Ｔの枝Ｔｂに乗った状態で、作業者Ｍは、下段側アンカーＫの第２巻留用索体４よりも高い位置に第１巻留用索体３を巻き留めることによって上段側アンカーＫを形成した後、ダブルロープテクニックの環状ロープ部Ｒｏを上段側アンカーＫの第１巻留用索体３の開閉式連結器８に通し入れ、図４に示すような状態とする。
【００２２】
図４に示す状態において、ダブルロープテクニックの環状ロープ部Ｒｏは、図２に示す状態と同様に、上段側アンカーＫによる支持と下段側アンカーＫによる支持の２点支持状態にあるから、作業者Ｍは、図４に示す状態から、仮に、上段側アンカーＫの下側にある枝Ｔｂが折れて、第１巻留用索体３が滑り落ちる状態となっても、環状ロープ部Ｒｏは、下段側アンカーＫである第１巻留用索体３によって支持されてバックアップされるため、作業者Ｍの墜落を防止することができる。図５は、樹木Ｔ上の更に高い位置でダブルロープテクニックの環状ロープ部Ｒｏが、第１巻留用索体３である上段側アンカーＫによる支持と、第２巻留用索体４である下段側アンカーＫによる支持との２点支持状態を示す。
【００２３】
以降同様にして、作業者Ｍは、ダブルロープテクニックにおける環状ロープ部Ｒｏと、第１及び第２の２つの巻留用索体３，４を使用して、樹木Ｔの幹Ｔａに下段側アンカーＫと上段側アンカーＫとを交互に形成しながら、環状ロープ部Ｒｏを、下段側アンカーＫから、順次高くなっていく上段側アンカーＫに付け替えていくことにより、樹木Ｔの低位置から高い位置に至る各所での剪定作業や枝打ち等の樹上作業時は、環状ロープ部Ｒｏを、上段側アンカーＫによる支持と下段側アンカーＫによる支持との２点支持状態とすることによって、作業者の墜落を確実に防止することができる。
【００２４】
一方、樹上作業を終えて樹木Ｔから下りる際は、ダブルロープテクニックの上段側アンカーＫを形成している巻留用索体３又は４の開閉式連結器８から環状ロープ部Ｒｏを抜き、その巻留用索体３又は４を樹木Ｔから取り外して作業者Ｍの身に付けた後、下段側アンカーＫとして残っている巻留用索体３又は４の開閉式連結器８に通されて１点支持されている環状ロープ部Ｒｏを使って下方の枝Ｔｂに下り、その枝Ｔｂに乗った状態で、作業者Ｍの身に付けている巻留用索体３又は４を、上記巻留用索体３又は４の下方で樹木Ｔ又は太枝に巻き掛けて新たな下段側アンカーＫを形成し、この新たな下段側アンカーＫである巻留用索体３又は４の開閉式連結器８に環状ロープ部Ｒｏを通し、しかして環状ロープ部Ｒｏは、この新たな下段側アンカーＫの開閉式連結器８と、下段側アンカーＫとして残っていたものが新たな上段側となったアンカーＫの開閉式連結器８とに通されることにより２点支持状態となる。
【００２５】
こうして作業者Ｍは、環状ロープ部Ｒｏを２点支持した状態で、上記枝Ｔｂに乗ったまま、上段側アンカーＫを形成している巻留用索体３又は４の開閉式連結器８から環状ロープ部Ｒｏを抜き、その巻留用索体３又は４を樹木Ｔから取り外して作業者Ｍの身に付けた後、下段側アンカーＫである巻留用索体３又は４の開閉式連結器８に通されている環状ロープ部Ｒｏを使って下方の枝Ｔｂに下りる。以降、上述した動作を繰り返すことにより、地上へ安全に下りることができる。
【００２６】
前記第１及び第２巻留用索体３，４は、例えば輪状になったスリングベルト（ソウンスリングとも称される）からなるもので、使用にあたっては、図６に示すように、輪状になったものを伸ばして二重直線状とし、この二重直線状としたものを樹木Ｔの幹Ｔａに巻き掛けて、図示のように互いに会合した一端部３ａ，４ａを他端部３ｂ，４ｂの輪に通し、下方へ引っ張って引き締めることにより、幹Ｔａに巻き留め固定してアンカーＫを形成することができる。各巻留用索体３，４には一端部３ａ，４ａに、図示のように開閉式連結器８が取り付けられる。このスリングベルトは使用の一例であって、第１及び第２巻留用索体３，４としては、スリングベルト以外に適当なものを使用することができる。
【００２７】
尚、巻留用索体３，４としてのスリングベルトは、植林の枝打ち作業などの高所作業において身体をつなぎ留めるのに使用される高強度で非常に摩擦性の高い布材からなるもので、図６に示すように樹木Ｔの幹Ｔａに巻き留めた状態で安定状態に支持され、しかも開閉式連結器８に急激な大荷重がかかっても全くずれ落ちしないから、作業者Ｍが落下した際の衝撃と荷重に耐えるアンカーＫとして確実に機能することができる。
【００２８】
第１巻留用索体３及び第２巻留用索体４に取り付ける開閉式連結器８としては、頻繁に開閉操作を行うため、図６に示すような周知の開閉式フック１６あるいはカラビナを使用する。
【００２９】
長尺ロープ２の一端部に取り付けた第１連結器５から所要長さ離れた長尺ロープ２上に設けられる伸縮調整具６は、図６に示すように、短尺ロープ材１２の一端部側を長尺ロープ２に巻き付けて結び目、例えばブレイクスヒッチ１３を形成したものからなるもので、このブレイクスヒッチ１３を掴んで長尺ロープ２上を移動させることにより、ダブルロープテクニックの環状ロープ部Ｒｏを伸縮でき、短尺ロープ材１２を所定方向に引っ張ることによって長尺ロープ２上での移動を阻止できる。尚、短尺ロープ材１２の他端部には輪っか部１２ｏを設け、これに第１連結器７としてのカラビナ１５を通し入れる。そして、伸縮調整具６としては、このような結び目の他に、所定の操作をすることで長尺ロープ２上を移動し、所定方向の荷重がかかることで長尺ロープ２上での移動を阻止するロック金具１８（図８参照）を使用することができる。
【００３０】
作業者Ｓが装着する安全帯１０としては、フルハーネス型安全帯、シットハーネス型安全帯等を使用する。図６に示す安全帯１０は、胴ベルト１０ａと肩ベルト１０ｂと腿ベルト１０ｃとからなるフルハーネス型安全帯であり、胴ベルト１０ａには前部側中央に輪っか状の被連結部１７が設けてあって、この被連結部１７に第１連結器５及び第２連結器７がつながれるようになっている。
【００３１】
以上、図１〜図６によって説明した実施形態では、長尺ロープ２の一端部に第１連結器５を設け、この第１連結器５から所要長さ離れたロープ２上に伸縮調整具６を設け、この伸縮調整具６に第２連結器７を設けて、これらの第１連結器５と伸縮調整具６と第２連結環７とでダブルロープテクニックの環状ロープ部Ｒｏを形成しているが、この環状ロープ部Ｒｏは基本的な一例であって、これ以外に、簡略化した種々の環状ロープ部Ｒｏが採用されている。その簡略化した環状ロープ部Ｒｏの一部の例を図７及び図８に示す。
【００３２】
図７に例示した環状ロープ部Ｒｏでは、長尺ロープ２の所要部を折り返して、その折り返し部に二重８の字状結び１９を形成し、この二重８の字状結び１９から延出したロープ部２ａの先端部側を長尺ロープ２の本体側に巻き付けて、例えばブレイクスヒッチ１３を形成することにより伸縮調整具６を形成し、前記二重８の字状結び１９の輪っか部１９ｏにカラビナからなる連結器２０を取り付けることにより、長尺ロープ２の一端部と伸縮調整具６とを連結器２０でつなぐようにしたもので、この連結器２０と伸縮調整具６とによってダブルロープテクニックの環状ロープ部Ｒｏを形成し、この環状ロープ部Ｒｏの連結器２０を、作業者Ｍの安全帯１０の被連結部１７に連結するようにしている。
【００３３】
図８に例示した環状ロープ部Ｒｏにおいては、長尺ロープ２の一端部に設けた輪っか部２ｏにカラビナからなる連結器２１を挿し込んで取り付け、この連結器２１から所要長さ離れた長尺ロープ２上には、所定の操作をすることで長尺ロープ２上を移動し、所定方向の荷重がかかることで長尺ロープ２上での移動を阻止する、伸縮調整具６としてのロック金具１８を取り付けると共に、このロック金具１８を前記連結器２１に取り付けることにより、長尺ロープ２の一端部と伸縮調整具６とを連結器２１でつなぐようにしたもので、連結器２１と伸縮調整具６とによりダブルロープテクニックの環状ロープ部Ｒｏを形成し、この環状ロープ部Ｒｏの連結器２１を安全帯１０の被連結部１７に連結するようにしている。
【００３４】
上記ロック金具１８は、周知のもので、図８の一部拡大図２ら分かるように、所定方向に荷重をかけることで作動するロック部材２２のロック作用により長尺ロープ２上での移動が阻止され、荷重を解放することでロック部材２２によるロックが解除され、そのロック解除状態で金具本体２３を押し引き操作することによって長尺ロープ２上で移動可能となるように構成されている。ロック部材２２は、長尺ロープ２を保持する金具本体２３に枢軸２４で枢着されていて、一端側には長尺ロープ２に対し接離可能な偏心カム部２５を有し、他端部には連結器２１としてのカラビナを取り付ける取付孔２６を有し、常時はバネによって、ロック部材２２を、その偏心カム部２５が長尺ロープ２から離間して金具本体２３を長尺ロープ２に沿ってスライド可能なロック解除位置に付勢し、そして連結器２１であるカラビナを前記バネに抗して所定方向に引っ張ることにより、ロック部材２２が枢軸２４を中心に回動して偏心カム部２５が長尺ロープ２に圧接し、その圧接摩擦力で金具本体２３を長尺ロープ２上にロックするようになっている。
【００３５】
上述した図７及び図８に示される環状ロープ部Ｒｏは、一部の例であり、これ以外にも種々の形態のものがある。従って、ダブルロープテクニックにおける環状ロープ部Ｒｏとしては、長尺ロープ２の一部に伸縮調整具６を介して伸縮調整可能な環状ロープ部Ｒｏを形成するものであれば、如何なる構成でもよい。しかして、そのような環状ロープ部Ｒｏの所要箇所を作業者Ｍの安全帯１０に固定した状態で、この環状ロープ部Ｒｏを樹木Ｔの幹Ｔａ又は太枝に形成した少なくとも２つのアンカーＫである巻留用索体３，４の開閉式連結器８，８に通して少なくとも２点支持することにより、上部アンカーＫの設けてある樹木Ｔの幹Ｔａが折れたとしても、下部アンカーＫでバックアップでき、地上への墜落を防止でき、日本の労働基準監督署の指導にも適うことになる。また、アンカーＫにかかる荷重が作業者の体重と同じ荷重となるから、樹木Ｔの比較的細い幹でもアンカーＫを設置可能となり、そしてまた作業者は、樹木に登る際には巻留用索体３，４を少なくとも２つ持って登ればよいから、作業者の重量的負担を軽減できる。
【符号の説明】
【００３６】
Ｍ            作業者
Ｔ            樹木
Ｔａ          樹木の幹
Ｔｂ          樹木の枝
Ｔｏ          樹木の枝分かれ部分
ＤＲＴ        ダブルロープテクニック
２            長尺ロープ
３            第１巻留用索体
４            第２巻留用索体
Ｋ            アンカー
５            第１連結器
６            伸縮調整具
７            第２連結器
８            連結器
１０          安全帯
１３          伸縮調整具としてのブレイクスヒッチ
１５          連結器としてのカラビナ
１６          開閉式連結器としての開閉式フック
１８          伸縮調整具としてのロック金具
２０          連結器
２１          連結器
【図１】
2015053890.tif 000003
【図２】
2015053890.tif 000004
【図３】
2015053890.tif 000005
【図４】
2015053890.tif 000006
【図５】
2015053890.tif 000007
【図６】
2015053890.tif 000008
【図７】
2015053890.tif 000009
【図８】
2015053890.tif 000010